(57)【要約】【課題】リモコンで暖房機本体の運転開始の切替操作をするに当たって、ユーザーに特別に意識を払わせなくても、暖房機本体の周囲の状況を確認させることが可能な暖房機および暖房機用のリモコンを提供する。【解決手段】暖房機は、リモコン８を備える。リモコン８は、暖房機本体１を運転停止状態から運転状態にする運転開始操作が可能な第１の操作部と、第１の操作部による操作以外の操作が可能な第２の操作部とを有している。暖房機は、リモコン８と暖房機本体１とが所定距離以上離れた位置関係にあると、少なくとも、第２の操作部による操作を受け付け、かつ、第１の操作部の運転開始操作を受け付けないように構成される。【選択図】図１
2018035986.tif 000002
【特許請求の範囲】
【請求項１】
暖房機本体と、
暖房機本体に対して操作信号を送信するリモコンと
を備え、
前記リモコンは、
前記暖房機本体を運転停止状態から運転状態にする運転開始操作が可能な第１の操作部と、
前記第１の操作部による操作以外の操作が可能な第２の操作部と
を有しており、
前記リモコンと前記暖房機本体とが所定距離以上離れた位置関係にあると、少なくとも、前記第２の操作部による操作を受け付け、かつ、前記第１の操作部の前記運転開始操作を受け付けないように構成されている
ことを特徴とする暖房機。
【請求項２】
前記リモコンは、前記第１の操作部による操作がされた場合に出力される操作信号の信号強度が、前記第２の操作部による操作がされた場合に出力される操作信号の信号強度よりも小さくなるように構成されている
ことを特徴とする請求項１記載の暖房機。
【請求項３】
前記暖房機本体は前記操作信号に基づいて当該暖房機本体の動作を制御する制御装置を備え、
前記制御装置は、前記リモコンと前記暖房機本体との距離を測定し、測定した距離が所定値以上であると、前記第１の操作部の操作のうち前記運転開始操作を受け付けず、かつ、前記運転開始操作以外の操作を受け付けるように構成されている
ことを特徴とする請求項１記載の暖房機。
【請求項４】
暖房機本体を無線で操作可能な暖房機用のリモコンであって、
前記暖房機本体を運転停止状態から運転状態にする運転開始操作が可能な第１の操作部と、
前記第１の操作部による操作以外の操作が可能な第２の操作部と
を備え、
前記第１の操作部による操作がされた場合に出力する操作信号の強度が、前記第２の操作部による操作がされた場合に出力する操作信号の強度よりも小さくなるように構成されている
ことを特徴とする暖房機用のリモコン。
【発明の詳細な説明】
【技術分野】
【０００１】
本発明は、暖房機および暖房機用のリモコンに関する。
【背景技術】
【０００２】
特許文献１には、従来の暖房機が開示されている。この特許文献１記載の石油ファンヒータは、ケーシングに設けられた操作パネルを有している。操作パネルには運転「入」スイッチが設けられており、この運転「入」スイッチを操作することで、ファンヒータを運転開始させることができる。
【０００３】
一般に、暖房機において、運転「入」スイッチの操作をする際には、暖房機の周囲の状況（例えば、ファンヒータであれば温風吹出口を塞いでいないかどうか等）を確認する必要がある。
【０００４】
このとき、従来の暖房機にあっては、暖房機に操作パネルが設けられているため、運転開始の操作をしようとするユーザーは、暖房機の近くに移動する必要がある。したがって、ユーザーは、特に意識することなく、暖房機の周囲の状況を把握できる。
【先行技術文献】
【特許文献】
【０００５】
【特許文献１】特開平１０−４７６５６号公報
【発明の概要】
【発明が解決しようとする課題】
【０００６】
ところで、従来の暖房機には、遠隔操作が可能なリモコンが設けられていないが、暖房機本体から離れた場所でも遠隔操作をしたいという要請がある。
【０００７】
しかしながら、暖房機本体に対し、単にリモコンを付属しただけであると、使用時において、暖房機本体の周囲の状況を確認しないまま、遠隔操作によって運転開始の操作をしてしまう可能性が予想される。
【０００８】
本発明は、上記事情に鑑みてなされたものであり、その目的とするところは、リモコンで暖房機本体の運転開始の切替操作をするに当たって、ユーザーに特別に意識を払わせなくても、暖房機本体の周囲の状況を確認させることが可能な暖房機および暖房機用のリモコンを提供することにある。
【課題を解決するための手段】
【０００９】
本発明の暖房機は、暖房機本体と、暖房機本体に対して操作信号を送信するリモコンとを備え、前記リモコンは、前記暖房機本体を運転停止状態から運転状態にする運転開始操作が可能な第１の操作部と、前記第１の操作部による操作以外の操作が可能な第２の操作部とを有しており、前記リモコンと前記暖房機本体とが所定距離以上離れた位置関係にあると、少なくとも、前記第２の操作部による操作を受け付け、かつ、前記第１の操作部の前記運転開始操作を受け付けないように構成されていることを特徴とする。
【００１０】
この構成によれば、リモコンを操作しようとするユーザーが、暖房機本体の近傍に居ないと、暖房機本体の運転開始操作をすることができないため、ユーザーに特別に意識を払わせなくても、暖房機本体の周囲の状況を確認させることができる。
【００１１】
また、この暖房機において、前記リモコンは、前記第１の操作部による操作がされた場合に出力される操作信号の信号強度が、前記第２の操作部による操作がされた場合に出力される信号強度よりも小さくなるように構成されていることが好ましい。
【００１２】
この構成によれば、簡単な構成のリモコンで、暖房機本体から所定距離離れた位置で操作した運転開始操作を受け付けないようにすることができる。
【００１３】
また、この暖房機において、前記暖房機本体は前記操作信号に基づいて当該暖房機本体の動作を制御する制御装置を備え、前記制御装置は、前記リモコンと前記暖房機本体との距離を測定し、測定した距離が所定値以上であると、前記第１の操作部の操作のうち前記運転開始操作を受け付けず、かつ、前記運転開始操作以外の操作を受け付けるように構成されていることが好ましい。
【００１４】
この構成によれば、リモコンの第１の操作部のうち、運転状態から運転停止状態に切り替える操作については受け付けることが可能であるため、暖房機本体に対し、リモコンが所定距離以上離れていた場合において、緊急停止が必要となっても、素早く運転停止操作を行うことができる。
【００１５】
また、本発明の暖房機用のリモコンは、暖房機本体を無線で操作可能な暖房機用のリモコンであって、前記暖房機本体を運転停止状態から運転状態にする運転開始操作がが可能な第１の操作部と、前記第１の操作部による操作以外の操作が可能な第２の操作部とを備え、前記第１の操作部による操作がされた場合に出力する操作信号の強度が、前記第２の操作部による操作がされた場合に出力する操作信号の強度よりも小さくなるように構成されていることを特徴とする。
【００１６】
この構成によれば、リモコンが、暖房機本体の近傍に位置しないと、暖房機本体の運転開始操作をすることができないため、当該リモコンを操作するユーザーは、特別に意識を払わなくても、暖房機本体の周囲の状況を確認することができる。
【発明の効果】
【００１７】
本発明の暖房機および暖房機用のリモコンによれば、リモコンで暖房機本体の運転開始の切替操作をするに当たって、ユーザーに特別に意識を払わせなくても、暖房機本体の周囲の状況を確認させることができる。
【図面の簡単な説明】
【００１８】
【図１】本発明の実施形態１の暖房機の斜視図である。
【図２】同上の暖房機本体のブロック図である。
【図３】同上の暖房機本体の本体操作部の拡大図である。
【図４】同上のリモコンの正面図である。
【図５】同上の暖房機本体とリモコンとの通信範囲を説明するための説明図である。
【図６】本発明の実施形態２の暖房機本体のブロック図である。
【発明を実施するための形態】
【００１９】
以下、本発明の実施形態について添付図面に基づいて説明する。
【００２０】
〔実施形態１〕
本実施形態の暖房機は、図１に示すように、暖房機本体１と、暖房機本体１に対し操作信号を送信可能なリモコン８とを備えている。
【００２１】
暖房機本体１は、暖房機の主体を構成する。暖房機本体１は、人や居住空間等に熱を与えるヒータであり、例えば、ファンヒータ等の温風式暖房機，オイルヒータやパネルヒータ等の輻射式暖房機が挙げられる。また、暖房機本体１の熱源は、ガス，石油，または電気等が挙げられるが、特に限られない。本実施形態の暖房機本体１は、ガスファンヒータにより構成されている。
【００２２】
暖房機本体１は、図２に示すように、ヒータ装置２と、本体操作部６と、制御装置３と、リモコン信号受信部４と、ハウジング５（図１）とを備えている。ハウジング５は、箱状に形成されており、ヒータ装置２，および制御装置３を内部に収容する。ハウジング５の正面上部には、リモコン信号受信部４が露出するようにして配置されている。また、ハウジング５の正面下部には、温風吹出口５１が形成されており、ヒータ装置２から送出される温風が温風吹出口５１を介して外部に送り出される。
【００２３】
ヒータ装置２は、熱源の供給を受けて熱を発生させる。本実施形態のヒータ装置２は、温風を発生させ、当該温風を温風吹出口５１から送り出す。ヒータ装置２は、図２に示すように、対流用ファンモータ２１と、室内温度検知装置２２と、点火器２３と、炎検知装置２４と、ガス電磁弁２５と、ガス比例弁２６とを備えている。なおこれらの構成は、周知の構成であるため、説明を省略する。
【００２４】
制御装置３は、本体操作部６による操作に基づき、ヒータ装置２の動作を制御する。制御装置３は、本体操作部６とヒータ装置２とに電気的に接続されている。また、制御装置３には、リモコン信号受信部４が電気的に接続されている。これにより、制御装置３は、リモコン８から出力された信号を、リモコン信号受信部４を介して受信することができる。
【００２５】
本体操作部６は、ユーザーが暖房機本体１の動作を指示するための部分であり、ユーザーが操作することにより、制御装置３に操作信号を出力する。本体操作部６は、図１に示すように、ハウジング５の天面に設けられている。
【００２６】
図３には本体操作部６の拡大図を示す。本体操作部６は、暖房機本体１の運転開始と運転停止との切替操作が可能な運転切替部６１と、暖房機本体１の運転状態の設定や変更を行う設定変更部６２とを備えている。
【００２７】
運転切替部６１は、運転スイッチ６１１と、おはようタイマースイッチ６１２と、おやすみタイマースイッチ６１３とを含む。これらスイッチ６１１，６１２，６１３は、押し操作することで、制御装置３に対し、操作信号を出力するように構成されている。
【００２８】
運転スイッチ６１１は、押し操作することで、運転開始の操作信号と、運転停止の操作信号とを交互に出力することができる。この操作信号を受け取った制御装置３は、当該操作信号に基づき、ヒータ装置２の通常運転または運転停止を実行する。すなわち、運転スイッチ６１１は、暖房機本体１の通常運転の開始と運転停止とを切り替えることができる。
【００２９】
おはようタイマースイッチ６１２は、押し操作することで、おはようタイマーの設定の操作信号と、おはようタイマーの設定解除の操作信号とを交互に出力することができる。この操作信号を受け取った制御装置３は、当該操作信号に基づき、ヒータ装置２に対し、おはようタイマーの設定、または、おはようタイマーの解除を実行する。すなわち、おはようタイマースイッチ６１２は、おはようタイマーの設定と、おはようタイマーの解除とを切り替えることができる。おはようタイマーは、運転中に設定されると、暖房機本体１の運転が停止し、予め設定された時刻が到来したら運転を開始する一方、運転停止中に設定されると、予め設定された時刻が到来したら運転を開始する。
【００３０】
おやすみタイマースイッチ６１３は、押し操作することで、おやすみタイマーの設定の操作信号と、おやすみタイマーの設定解除の操作信号とを交互に出力することができる。この操作信号を受け取った制御装置３は、当該操作信号に基づき、ヒータ装置２に対し、おやすみタイマーの設定、または、おやすみタイマーの解除を実行する。すなわち、おやすみタイマースイッチ６１３は、おやすみタイマーの設定と、おやすみタイマーの解除とを切り替えることができる。おやすみタイマーは、運転中に設定されると、予め設定された時刻が到来したら運転を停止する一方、運転停止中に設定されると、暖房機本体１の運転が開始され、予め設定された時刻が到来したら運転を停止する。
【００３１】
設定変更部６２は、ロックスイッチ６２２と、エコスイッチ６２１と、アップ・ダウンスイッチ６２３，６２４とを含む。これらスイッチ６２２，６２３，６２４は、押し操作することで、制御装置３に対し、操作信号を出力するように構成されている。
【００３２】
ロックスイッチ６２２は、押し操作することで、本体操作部６のうち特定の操作を実行させないロック状態（いわゆるチャイルドロック）の操作信号と、これを解除するアンロック状態の操作信号とを交互に出力することができる。
【００３３】
エコスイッチ６２１は、押し操作することで、エコ運転（省エネルギー運転）「入」の操作信号と、エコ運転「切」の操作信号とを交互に出力することができる。
【００３４】
アップ・ダウンスイッチ６２３，６２４は、上方向を示す印（三角形）が示されたアップスイッチ６２３と、下方向を示す印（逆三角形）が示されたダウンスイッチ６２４とを含み、これらを押し操作することで、時間値または温度値の変更を行うことができる。
【００３５】
リモコン８は、暖房機本体１に対し、無線通信で通信可能に構成されている。本実施形態のリモコン８と暖房機本体１は、赤外線通信方式で通信可能に構成される。リモコン８は、図４に示すように、運転スイッチ８１１，おはようタイマースイッチ８１２，及びおやすみタイマースイッチ８１３を含むリモコン側運転切替部８１（第１の操作部）と、リモコン側運転切替部８１以外の操作部（第２の操作部）とで構成されている。本実施形態のリモコン８は、第２の操作部として、エコスイッチ８２１，アップ・ダウンスイッチ８２３，８２４，及びロックスイッチ８２２を含むリモコン側設定変更部８２を備えている。
【００３６】
リモコン側運転切替部８１は、暖房機本体１を運転停止状態から運転状態にする切替操作が可能な操作部である。本実施形態において、リモコン側運転切替部８１は、運転スイッチ８１１，おはようタイマースイッチ８１２，及びおやすみタイマースイッチ８１３の総称であり、これらスイッチ８１１，９１２，８１３は、いずれも、押し操作することで、運転停止状態の暖房機本体１を運転状態に切り替えることができる。
【００３７】
運転スイッチ８１１を押し操作することで、運転スイッチ８１１は暖房機本体１を運転停止状態から運転開始状態へ切り替えることができる。また、運転スイッチ８１１は、押し操作することで、暖房機本体１を運転状態から運転停止状態へ切り替えることもできる。
【００３８】
おはようタイマースイッチ８１２は、運転停止状態の暖房機本体１を、設定された時刻に運転開始状態に切り替えることができる。なお、運転中において、おはようタイマースイッチ８１２が押し操作されると、暖房機本体１は運転停止するが、設定された時刻に運転開始状態に切り替えられるため、おはようタイマースイッチ８１２は、リモコン側運転切替部８１に含まれる。
【００３９】
おやすみタイマースイッチ８１３は、運転停止状態に押し操作することで、暖房機本体１を運転状態に切り替えることができ、その後、設定された時刻に運転停止状態に切り替えられる。なお、おやすみタイマースイッチ８１３は、設定された時刻に暖房機本体１を運転停止状態に切り替えるタイマースイッチであるが、運転停止状態で押し操作されると、暖房機本体１を運転状態に切り替えるため、リモコン側運転切替部８１に含まれる。
【００４０】
リモコン側設定変更部８２は、暖房機本体１の運転状態の設定や、設定状態の変更指示が可能な操作部６０である。本実施形態において、リモコン側設定変更部８２は、エコスイッチ８２１，アップ・ダウンスイッチ８２３，８２４，及びロックスイッチ８２２の総称であり、これらスイッチ８２１，８２２，８２３，８２４は、いずれも、押し操作することで、暖房機本体１の運転状態の設定、または設定状態の変更を行うことができる。
【００４１】
エコスイッチ８２１は、暖房機本体１が通常運転中において押し操作することで、通常運転中の暖房機本体１の運転状態を、省エネモードに切り替えることができる。また、エコスイッチ８２１は、暖房機本体１が省エネモード中に押し操作することで、通常運転に切り替えることができる。
【００４２】
アップ・ダウンスイッチ８２３，８２４は、上方向を示す印（三角形）が示されたアップスイッチ８２３と、下方向を示す印（逆三角形）が示されたダウンスイッチ８２４とを含み、これらを押し操作することで、目標温度値の変更や、タイマー時間の変更を行うことができる。
【００４３】
ロックスイッチ８２２は、押し操作することで、本体操作部６の特定のスイッチのロック状態とアンロック状態とを切り替えることができる。
【００４４】
リモコン側運転切替部８１またはリモコン側設定変更部８２を操作すると、リモコン８からその操作信号が出力される。リモコン８から出力された操作信号を受け取った制御装置３は、本体操作部６から出力された操作信号を受け取った場合と同じように、ヒータ装置２を制御する。
【００４５】
ここで、本実施形態のリモコン８は、リモコン側運転切替部８１による操作がされた場合に出力される操作信号（以下、運転信号という）の信号強度が、リモコン側設定変更部８２による操作がされた場合に出力される操作信号（以下、設定信号という）の信号強度よりも小さく（弱く）設定されている。
【００４６】
特に、運転信号の信号強度は、図５に示すように、暖房機本体１とリモコン８とが、所定距離以上離れると、リモコン８からの操作指令を、暖房機本体１が実行できなくなるような強度に設定されている。このリモコン８と暖房機本体１との所定の距離については、リモコン８を操作するユーザーが暖房機本体１を視界に入れることができる距離に設定されており、この所定距離としては、１．５〜２．５ｍが好ましく、より好ましくは、１．７５〜２．２５ｍであり、２ｍ前後を閾値として設定される。本実施形態においては、２ｍ以上離れると、リモコン８の操作信号を暖房機本体１が受け付けることができないように設定されている。
【００４７】
一方、設定信号の信号強度については、運転信号の信号強度よりも大きく（強く）設定されており、暖房機本体１とリモコン８とが所定距離以上離れていても、リモコン８からの操作指令を、暖房機本体１が実行することができる。本実施形態において、設定信号の信号強度は、送信器の最大の出力値に設定されている。
【００４８】
すなわち、本実施形態の暖房機は、リモコン８と暖房機本体１とが所定距離離れた位置関係にあると、リモコン側設定変更部８２による操作を受け付けるが、リモコン側運転切替部８１による操作を受け付けないように構成されている。
【００４９】
このため、本実施形態の暖房機によれば、リモコン８を操作しようとするユーザーが暖房機本体１の近傍に居ないと、暖房機本体１の運転を開始させることができない。したがって、ユーザーは特別に意識を払わなくても、暖房機本体１の周囲の状況を確認することになる。この結果、例えば、暖房機本体１の温風吹出口５１が衣類や紙類で覆われていたり、暖房機本体１の上に加熱が厳禁とされるスプレー缶等が載置されていたり、あるいは、暖房機本体１の温風吹出口５１のすぐ前に、幼児や老人が居たりする場合に、暖房機本体１を運転開始させてしまうのを防ぐことができる。
【００５０】
〔実施形態２〕
次に、実施形態２について図６に基づいて説明する。なお、本実施形態は実施形態１と大部分において同じであるため、同じ部分においては同符号を付して説明を省略し、主に異なる部分について説明する。
【００５１】
本実施形態の暖房機は、暖房機本体１に対し、リモコン８が所定距離以上離れた状態で、第１の操作部が操作されても、当該操作を受け付けないように構成された点では実施形態１の暖房機と同じであるが、暖房機本体１の制御装置３が、暖房機本体１とリモコン８との距離を検知可能に構成された点で実施形態１とは異なっている。なお、各種操作部が操作されたときの動作については、実施形態１の暖房機と同じである。
【００５２】
本実施形態のリモコン８は、暖房機本体１のリモコン信号受信部４に対し、Bluetooth（登録商標）による通信方式で、双方向に通信可能に接続される。リモコン８は、暖房機本体１とペアリングされており、暖房機本体１に対し、一定時間ごとにペアリング信号を出力する。
【００５３】
制御装置３は、図６に示すように、リモコン信号受信部４に接続された信号強度測定部３１と、比較・判定部３２と、ヒータ装置制御部３３とを備えている。
【００５４】
信号強度測定部３１は、リモコン信号受信部４から入力された操作信号の信号強度を測定する。信号強度測定部３１は、リモコン信号受信部４が受け取ったペアリング信号の信号強度を測定する。信号強度測定部３１は、例えば、ペアリング信号のＲＳＳＩ（Received Signal Strength Indicator）値を測定し、信号強度を数値化する。信号強度測定部３１は、ペアリング信号の信号強度情報と、入力された操作信号とを比較・判定部３２に出力する。
【００５５】
比較・判定部３２は、暖房機本体１とリモコン８とが所定距離（例えば、２ｍ）以上離れているか否かを判定し、所定距離以上離れていると判定した場合、第１の操作部による操作信号のうち運転開始操作の操作信号を受け付けないように判断する。ここで、制御装置３のメモリには、暖房機本体１とリモコン８の間の距離に対応するＲＳＳＩ値（以下、所定の閾値という）が予め記録されている。比較・判定部３２は、この所定の閾値をメモリより取得した上で、入力されたペアリング信号の信号強度情報と当該閾値とを比較し、入力されたペアリング信号の信号強度情報が、所定の閾値以下であるか否かを判定する。ペアリング信号の信号強度情報が、所定の閾値以下である場合、比較・判定部３２は、リモコン８と暖房機本体１とが所定距離以上離れていると判定する。そして、比較・判定部３２は、このとき入力された操作信号が、第１の操作部のうち、運転停止状態から運転開始状態に切り替える操作信号（つまり、運転開始操作の操作信号）である場合には、当該操作信号を受け付けないように処理する。
【００５６】
一方、入力されたペアリング信号の信号強度情報が、所定の閾値よりも大きい場合、比較・判定部３２は、暖房機本体１に対し、リモコン８が所定距離より近く位置していると判定するため、入力された操作信号を、ヒータ装置制御部３３に出力する。
【００５７】
また、比較・判定部３２は、入力された操作信号が第２の操作部による操作信号である場合や、運転状態から運転停止状態に切り替える操作信号（例えば、運転スイッチ８１１を押し操作して、運転停止させる操作信号や、おはようタイマーを解除する操作信号や、おやすみタイマーを解除する操作信号等）である場合、ペアリング信号の信号強度によらず、当該操作信号をヒータ装置制御部３３に出力する。
【００５８】
ヒータ装置制御部３３は、入力された操作信号に基づいてヒータ装置２を動作させるように制御する。
【００５９】
このように、本実施形態の暖房機の制御装置３は、リモコン８と暖房機本体１との距離を測定し、測定した距離が所定値以上であると、第１の操作部のうち、運転開始操作を受け付けず、かつ、この運転開始操作以外の操作を受け付けるように制御する。このため、本実施形態の暖房機によっても、リモコン８を操作しようとするユーザーが、暖房機本体１の近傍に居ないと、暖房機本体１を運転状態に切り替えることができない。また、本実施形態の暖房機は、リモコン８の第１の操作部のうち、運転状態から運転停止状態に切り替える操作については受け付けることができるため、暖房機本体１に対し、リモコン８が所定距離以上離れていた場合において、緊急停止が必要となっても、素早く運転停止操作を行うことができる。
【００６０】
〔応用〕
上記実施形態において、暖房機本体１とリモコン８との所定距離については、２ｍと例示したが、これに限定されず、リモコン８から暖房機本体１の周囲が適切に把握できる位置であれば、適宜設定されてもよい。
【００６１】
上記実施形態のリモコン８において、第１の操作部は、おはようタイマースイッチ８１２とおやすみタイマースイッチ８１３とを含んでいたが、リモコン８に、おはようタイマースイッチ８１２とおやすみタイマースイッチ８１３はなくてもよい。また、暖房機本体１として、おはようタイマーとおやすみタイマーとがない暖房機本体であってもよい。
【００６２】
実施形態２の暖房機本体１とリモコン８とは、Bluetooth（登録商標）により通信可能であったが、例えば、Wi-Fi方式により通信可能であってもよい。この場合、操作信号の通信強度を測定し、これに基づいて、暖房機本体１とリモコン８との距離を判定すればよい。
【００６３】
その他、上記実施形態の構成は、本発明の主旨を逸脱しない範囲であれば、適宜設計変更を行うことができる。
【符号の説明】
【００６４】
１      暖房機本体
３      制御装置
８      リモコン
８１      リモコン側運転切替部（第１の操作部）
８２      リモコン側設定変更部（第２の操作部）
【図１】
2018035986.tif 000003
【図２】
2018035986.tif 000004
【図３】
2018035986.tif 000005
【図４】
2018035986.tif 000006
【図５】
2018035986.tif 000007
【図６】
2018035986.tif 000008